(57)【要約】【課題】ガスの噴出によって、薬液を斜めの噴霧することが可能であり、製造容易な生体用薬液注入用具を提供する。【解決手段】生体組織接着剤塗布用具は、ノズルと、ノズルの内部の空間２ｓを通り、薬液１０が注入される薬液注入部と薬液１０が吐出される吐出パイプ１２ｅとを有する薬液流通路Ｙと、を備える。ノズルには、空間内にガスを注入するためのガス注入部が設けられている。また、ノズルには、吐出パイプ１２ｅの近傍にあり、ガス注入部から空間内に充填された送気ガスＧを噴射し、薬液流通路Ｙの吐出パイプ１２ｅから吐出される薬液１０を霧状に噴霧するガス噴出部１２ｆが設けられている。ガス噴出部１２ｆからの送気ガスＧの噴出方向と吐出パイプ１２ｅからの薬液１０の吐出方向とは、薬液１０が吐出パイプ１２ｅから吐出した先において斜めに交差している。【選択図】図５
2018201727.tif 000002
【特許請求の範囲】
【請求項１】
内部に空間を有するノズルと、
該ノズルの内部の前記空間を通り、薬液が注入される薬液注入部と前記薬液が吐出される薬液吐出部とを有して前記薬液を流通させる薬液流通路と、を備え、
前記ノズルには、
前記空間内にガスを注入するためのガス注入部と、
前記薬液吐出部の近傍にあり、前記ガス注入部から前記空間内に充填された前記ガスを噴射し、前記薬液流通路の前記薬液吐出部から吐出される前記薬液を霧状に噴霧するガス噴出部と、が設けられており、
該ガス噴出部の噴出方向と前記ノズルの軸心方向との成す角度は、前記薬液吐出部の吐出方向と前記ノズルの軸心方向との成す角度よりも大きく、
前記ガス噴出部からの前記ガスの噴出方向と前記薬液吐出部からの前記薬液の吐出方向とは、前記薬液が前記薬液吐出部から吐出した先において斜めに交差していることを特徴とする生体用薬液注入用具。
【請求項２】
前記薬液流通路は複数設けられており、
前記ガス噴出部は、前記複数の薬液流通路におけるそれぞれの前記薬液吐出部から吐出した前記薬液同士を霧状に噴霧混合する前記ガスを、前記薬液吐出部の先端開口を正面に見て、前記複数の薬液流通路の並び方向に交差する方向に噴射する請求項１に記載の生体用薬液注入用具。
【請求項３】
前記薬液吐出部は、前記薬液の吐出方向に沿って延在しており、
前記ガス噴出部は、前記薬液吐出部による前記薬液の吐出先に向かうように延在している請求項１又は２に記載の生体用薬液注入用具。
【請求項４】
前記ガス噴出部は、前記ガス噴出部の先端開口を正面に見て、前記薬液吐出部から離れた位置に形成されている請求項１から３のいずれか一項に記載の生体用薬液注入用具。
【請求項５】
前記薬液流通路は、第１薬液流通路と第２薬液流通路とを備え、
前記ガス噴出部の少なくとも一部は、前記ガス噴出部の先端開口を正面に見て、前記第１薬液流通路の前記薬液吐出部の中心と前記第２薬液流通路の前記薬液吐出部の中心とを結ぶ線分における両端よりも内側の部位に近づくように形成されている請求項１から４のいずれか一項に記載の生体用薬液注入用具。
【請求項６】
前記ガス噴出部は、前記ガス噴出部の先端開口を正面に見て、前記薬液吐出部を中心とする周回方向の一部に非周回状に形成されており、
前記ノズルは、前記薬液注入部が設けられた第１部材と、前記薬液吐出部及び前記ガス噴出部が一体成形された第２部材と、を備える請求項１から５のいずれか一項に記載の生体用薬液注入用具。
【請求項７】
前記ガス噴出部を挟んで、前記薬液吐出部が設けられている部位とは逆側の部位に設けられた庇部を更に備え、
該庇部は、前記薬液の吐出方向を基準として、前記薬液吐出部の先端よりも遠位側に突出して形成されている請求項１から６のいずれか一項に記載の生体用薬液注入用具。
【請求項８】
前記ガス噴出部の先端開口は、円弧状に形成されており、前記薬液吐出部に沿うように形成されている請求項１から７のいずれか一項に記載の生体用薬液注入用具。
【請求項９】
前記ガス噴出部の先端開口は、前記薬液吐出部の中心を同心とする中心角２０°から５０°の円弧状に形成されている請求項８に記載の生体用薬液注入用具。
【請求項１０】
前記薬液吐出部の先端面は、前記ガス噴出部からの前記ガスの噴出方向に沿って形成されている請求項１から９のいずれか一項に記載の生体用薬液注入用具。
【発明の詳細な説明】
【技術分野】
【０００１】
本発明は、生体の患部に薬液を噴霧するための生体用薬液注入用具にかかり、特に、ノズルの軸心方向に対して斜めに薬液を噴霧する生体用薬液注入用具に関する。
【背景技術】
【０００２】
生体内の処置又は治療等において、腹部等に形成した孔にトロカールを通し、さらにトロカールの中にノズルを通して、体腔内に薬液を導入することが一般的に行われている。
そして、ノズルがトロカールによって配置を制限された状態であっても、ノズルによって広範囲に薬液を噴射可能とする技術が特許文献１に開示されている。
【０００３】
特許文献１に記載された生体用薬液注入用具（同文献には、生体組織接着剤塗付用具と記載されている。）は、複数の薬液及びこれらの薬液を混合するガスをノズルの軸心方向に対して斜めに噴霧可能とするものである。このようにノズルの軸心方向に対して斜めに薬液を噴霧する構成であれば、ノズルを軸心周りに回動させることで、広い範囲に薬液を噴霧することが可能となる。
【先行技術文献】
【特許文献】
【０００４】
【特許文献１】特開２０１３−７４９８８号公報
【発明の概要】
【発明が解決しようとする課題】
【０００５】
同文献に開示された生体用薬液注入用具においては、ガス噴出路及び薬液流通路の双方の遠位端部が、ノズルの軸心方向に対して傾斜して形成されていることで、薬液及びガスを噴霧するというものであった。特に、ガス噴出路が薬液流通路を取り囲み、かつ両者がノズルの軸心方向に対して斜めである複雑な構造があるがゆえ、その製造が困難であった。
このため、同文献に記載された生体用薬液注入用具の構造のように、ノズルの軸心方向に対して斜めに薬液を噴霧できる新たな構造が望まれていた。
【０００６】
本発明は、上記課題に鑑みてなされたものであり、ガスの噴出によって、薬液を斜めに噴霧することが可能であり、製造が容易な生体用薬液注入用具を提供することを課題とする。
【課題を解決するための手段】
【０００７】
本発明の生体用薬液注入用具は、内部に空間を有するノズルと、該ノズルの内部の前記空間を通り、前記ノズルに設けられた薬液注入部と前記ノズルの先端に設けられた薬液吐出部とを連通して、薬液を流通させる薬液流通路と、を備え、前記ノズルには、前記空間内にガスを充填するためのガス注入部と、前記薬液吐出部の近傍にあり、前記ガス注入部から前記空間内に充填された前記ガスを噴射し、前記薬液流通路の前記薬液吐出部から吐出される前記薬液を霧状に噴霧するガス噴出部と、が設けられており、該ガス噴出部の噴出方向は、前記ノズルの軸心方向に対して、前記薬液吐出部の吐出方向よりも大きな角度を有しており、前記ガス噴出部からの前記ガスの噴出方向と前記薬液吐出部からの前記薬液の吐出方向とは、前記薬液が前記薬液吐出部から吐出した先において斜めに交差していることを特徴とする。
【発明の効果】
【０００８】
本発明によれば、薬液を斜めの噴霧することが可能であり、製造が容易な生体用薬液注入用具を提供することができる。
【図面の簡単な説明】
【０００９】
【図１】本実施形態に係る生体組織接着剤塗布用具を示す斜視図である。
【図２】図１のII部分にあるヘッドを示す拡大斜視図である。
【図３】ヘッドの正面図である。
【図４】図３のIV-IV断面を示す断面図である。
【図５】図３のV-V断面を示す断面図である。
【図６】第１変形例に係るヘッドの正面図である。
【図７】第２変形例に係るヘッドの正面図である。
【図８】第３変形例に係るヘッドの正面図である。
【発明を実施するための形態】
【００１０】
以下、本発明の生体用薬液注入用具の実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。また、以下において、生体用薬液注入用具における薬液が吐出される側を前側又は遠位側、その逆側を後側又は近位側とし、それぞれ先端側、基端側ともいう。
【００１１】
＜全体構成について＞
本発明の生体用薬液注入用具としての生体組織接着剤塗布用具１の全体構成について図１及び図２を主に参照して説明する。図１は、本実施形態に係る生体組織接着剤塗布用具１を示す斜視図、図２は、図１のII部分にあるヘッド１２を示す拡大斜視図である。
【００１２】
本発明に係る生体用薬液注入用具（生体組織接着剤塗布用具１）は、体内に薬液を注入（塗布・噴霧）する用具である。本発明に係る生体用薬液注入用具による注入対象である薬液１０（図５参照）は、後述するように、一種類であってもよく、本実施形態に係る生体組織接着剤塗布用具１によって噴霧される薬液１０のように、２種類以上であってもよい。生体組織接着剤塗布用具１は、後述する複数の薬液１０を吐出した先で噴霧・混合して接着剤として生体内の臓器等に塗布する機能を有する。
【００１３】
生体組織接着剤塗布用具１は、内部に空間２ｓを有するノズルＸと、ノズルＸの内部の空間２ｓを通り、薬液１０を流通させる薬液流通路Ｙと、を備える。薬液流通路Ｙは、詳細については後述するが、薬液１０が注入される薬液注入部（シリンジ装着口２ｄ）と、薬液１０が流通する薬液流通管３、４（図４及び図５参照）と、薬液１０が吐出される薬液吐出部（吐出パイプ１２ｅ）とを有して薬液１０を流通させる流路である。
【００１４】
ノズルＸは、ノズル本体２と、ノズル本体２の内部の空間２ｓに連通してノズル本体２の先端側から延長して設けられた延長部１１と、延長部１１の先端に取り付けられた後述するヘッド１２と、から構成されている。
また、ノズル本体２は、薬液注入部（シリンジ装着口２ｄ）が設けられて送気ガスＧ（図５参照）が充填される本発明に係る第１部材である。
ヘッド１２は、吐出パイプ１２ｅ及びガス噴出部１２ｆが一体成形された第２部材としての噴霧端片１２ｄを備える。
ノズルＸには、その内部の空間２ｓ内に送気ガスＧ（図５参照）を注入するためのガス注入部２ｇが設けられている。また、ノズルＸのヘッド１２には、図２に示すように、薬液吐出部（吐出パイプ１２ｅ）の近傍にあり、薬液１０を霧状に噴霧するガス噴出部１２ｆが設けられている。
図１に示すようにノズル本体２には、上方かつ後方に斜めに突出した部位が形成されており、ガス注入部２ｇは、その突出した先に形成されている。
このように、ガス注入部２ｇがノズル本体２の上方に突出した部位に設けられていると、エアフィルタ９をガス注入部２ｇに取り付ける作業、及びエアフィルタ９を介して送気チューブ３１を接続する作業が容易となるため好ましい。
しかしながら、本発明はこのような構成に限定されず、ガス注入部は、ノズル本体２の内部の空間２ｓに送気ガスＧを注入できればよく、ノズル本体２の下部や側部に形成されていてもよい。また、必ずしも突出して形成された部位の端部に形成されるものに限定されない。
ガス噴出部１２ｆは、詳細については後述するが、ガス注入部２ｇから内部の空間２ｓ内に充填された送気ガスＧを噴射し、薬液流通路Ｙの薬液吐出部（吐出パイプ１２ｅ）から吐出される薬液１０を霧状に噴霧混合するものである。
【００１５】
生体組織接着剤塗布用具１には、薬液１０を噴霧するための送気ガスＧを、ノズル本体２に導入する送気チューブ３１が接続されている。送気チューブ３１は、送気ガスＧの量を調整するレギュレータ３０に接続されており、ノズル本体２にエアフィルタ９を介して接続されている。具体的には、送気チューブ３１は、基端側に設けられたコネクタ３１ａによってレギュレータ３０に接続されており、先端側に設けられたコネクタ３１ｂによってエアフィルタ９の接続口９ａに接続されている。レギュレータ３０から供給された送気ガスＧをエアフィルタ９に通すことによって送気ガスＧからほこりや雑菌が除菌される。このため、エアフィルタ９を通った送気ガスＧは、生体内に噴出させるガスとして衛生上好適となる。
【００１６】
なお、エアフィルタ９を、ノズル本体２の近傍ではなく、レギュレータ３０の近傍に配設するようにしてもよい。このようにすれば、生体組織接着剤塗布用具１の周囲の部材が少なくなるため、生体組織接着剤塗布用具１の操作性を高めることができる。具体的には、ノズルＸを回動させる操作により薬液１０の噴霧の向きを変更する際に、エアフィルタ９がその操作の妨げとなることを抑制できる。
送気ガスＧは、レギュレータ３０から送気チューブ３１、エアフィルタ９、ガス注入部２ｇを介してノズルＸ（ノズル本体２）の内部の空間２ｓに導入・充填されることとなる。
【００１７】
また、ノズル本体２には、シリンジ装着口２ｄを介してノズル本体２の内部に異なる薬液を導入するための２個ずつ設けられたプランジャ７及びシリンジ１７が取り付けられている。具体的には、ノズル本体２の後面における両サイドの端部には、２つの部位が後方に突出しており、これらの部位の後端に、薬液注入部としてのシリンジ装着口２ｄが形成されている。この２つのシリンジ装着口２ｄのそれぞれにシリンジ１７が接続されている。２本のシリンジ１７内にそれぞれ充填された薬液は、プランジャ７がシリンジ１７内に押し込まれることによって、シリンジ装着口２ｄを介してノズル本体２内の後述する薬液流通管３、４を通ることとなる。
【００１８】
また、生体組織接着剤塗布用具１は、２個のプランジャ７をシリンジ１７に同時に押し出すためのプランジャホルダ８を備える。プランジャホルダ８は、２個のプランジャ７の基端側に当接可能な大きさで形成されている。
【００１９】
ノズルＸが備える延長部１１は、延長部１１の先端に取り付けられたヘッド１２を体腔内に配設するための長さを確保するためのものである。生体組織接着剤塗布用具１は、例えば胸腔鏡を使った手術を行う際に用いられる。例えば、不図示のトロカール内を挿通してＥＡＳ（endoscope assisted surgery）による手術を行う際に、トロカールを挿通した先で薬液１０を塗布する必要がある。この場合に、ノズルＸが延長部１１を備えることで、ノズルＸを軸心方向に長くして、薬液を噴霧する部位であるヘッド１２の到達可能位置を薬液１０の塗布位置に応じて延長することができる。
【００２０】
延長部１１の上部、換言すると、ノズルＸの軸心方向に垂直な方向において、送気ガスＧの噴射の向き（下向き）とは逆向き側の部位には、ライン１１ｃが形成されている。ライン１１ｃは、所定幅で形成されており、ノズルＸの軸心方向に延在している。
このように形成されたライン１１ｃは、例えば胸腔鏡による手術において生体組織接着剤塗布用具１を用いる際に、ライン１１ｃの逆の向きである送気ガスＧの噴射向き、つまりは薬液１０の噴霧の向きを確認するための標識として機能する。
【００２１】
＜ヘッド周りの構成について＞
次に、ヘッド１２及びヘッド１２周りの構成について、図１、図２に加えて、図３から図５を参照して説明する。図３は、ヘッド１２の正面図、図４は、図３のIV-IV断面を示す断面図、図５は、図３のV-V断面を示す断面図である。
薬液流通路Ｙは、ノズルＸの一部であるノズル本体２、延長部１１及びヘッド１２のそれぞれの内部の空間２ｓを通り、薬液１０が吐出される薬液吐出部（吐出パイプ１２ｅ）を有する。
ヘッド１２には、薬液吐出口１２ｇを有する吐出パイプ１２ｅとガス噴出部１２ｆと、が設けられている。
具体的には、ヘッド１２は、円筒状に形成されたヘッド本体１２ｂと、ヘッド本体１２ｂの先端側に取り付けられた、吐出パイプ１２ｅ及びガス噴出部１２ｆを有する噴霧端片１２ｄと、から構成されている。
【００２２】
ヘッド本体１２ｂの後端部には、延長部１１の先端に嵌合する嵌合部１２ｈが形成されている。嵌合部１２ｈは、ヘッド本体１２ｂにおける他の部位よりも小径の外面を有しており、当該外面が延長部１１の内面に対向する状態で嵌合している。
図４及び図５に示すように、ヘッド本体１２ｂにおける先端側の内面１２ｃは、近位側に向かうにつれて先細りとなるようにテーパ状に形成されている。このように形成されていることで、後述するガス噴出部１２ｆから送気ガスＧを連続的に噴出可能なように、送気ガスＧを近位側よりも遠位側に多く留めることが可能となる。
ヘッド１２は、その先端部において、ガス噴出部１２ｆを挟んで、吐出パイプ１２ｅが設けられている部位とは逆側の部位に設けられた庇部１２ｉを備える。庇部１２ｉの詳細については後述する。
【００２３】
噴霧端片１２ｄは、円盤状に形成された端片本体１２ｊと、端片本体１２ｊに一体的に形成されて端片本体１２ｊに垂直に延在する２本の吐出パイプ１２ｅとから構成されている。
端片本体１２ｊは、ヘッド本体１２ｂの先端側の内面に嵌合しており、２本の吐出パイプ１２ｅそれぞれの上方に、貫通孔であるガス噴出部１２ｆが形成されている。
【００２４】
薬液１０は、薬液吐出部としての吐出パイプ１２ｅの延在方向に沿ってその延長上に吐出される。逆にいうと、吐出パイプ１２ｅは、薬液１０の吐出方向に沿って延在している。以下において、吐出方向とは、吐出パイプ１２ｅを基準として遠位側に向くベクトルである。
ガス噴出部１２ｆは、吐出パイプ１２ｅによる薬液１０の吐出先に向かうように延在している。具体的には、ガス噴出部１２ｆは、噴霧端片１２ｄの端片本体１２ｊにおいて、ノズルＸの軸心方向（端片本体１２ｊの厚さ方向）に交差するように、遠位側に向かって斜め下方に延在している。
このような向きに吐出パイプ１２ｅ及びガス噴出部１２ｆのそれぞれが延在していることで、吐出パイプ１２ｅ及びガス噴出部１２ｆの形状によって、薬液１０の吐出方向、及び送気ガスＧの噴出方向の方向付けができる。以下において、噴出方向とは、ガス噴出部１２ｆを基準として遠位側に向くベクトルである。
吐出パイプ１２ｅの基端部には、薬液流通管３、４の先端部が接続されており、２本の薬液流通管３、４を通った薬液１０は、２本の吐出パイプ１２ｅ内に導入されることとなる。
【００２５】
薬液流通管３、４は、混合対象である２種類の薬液を流通させるものである。そして、薬液流通管３、４は、薬液流通路Ｙを形成する部材であり、ノズル本体２及び後述する延長部１１の内部の空間２ｓ内を通るように配設されている。
薬液流通路Ｙは、第１薬液流通路Ｙ１としての薬液流通管３を含む流通路、及び第２薬液流通路Ｙ２としての薬液流通管４を含む流通路に係る複数の流通路を備える。
本実施形態においては、薬液流通管３、４の一方は、フィブリノゲン等を含む薬液を流通させるものである。薬液流通管３、４の他方は、トロンビン等を含み、フィブリノゲン等に作用して、接着剤として機能させるための薬液を流通させるものである。薬液吐出口１２ｇは、吐出パイプ１２ｅの開放端であり、プランジャ７によってシリンジ１７内から押し出されシリンジ装着口２ｄから注入されて薬液流通管３、４を通った薬液１０（図５参照）を吐出する部位である。
【００２６】
ガス噴出部１２ｆは、薬液吐出口１２ｇの近傍に設けられており、ガス注入部２ｇからノズルＸの内部の空間２ｓ内に充填された送気ガスＧを、ヘッド１２の先端部において噴出する部位である。
ガス噴出部１２ｆは２箇所形成されており、２箇所のガス噴出部１２ｆの先端開口は、正面視において、吐出パイプ１２ｅに沿うように形成されている。具体的には、ガス噴出部１２ｆの先端開口は、円弧状に形成されており、吐出パイプ１２ｅに沿うように形成されている。このように形成されたガス噴出部１２ｆによれば、送気ガスＧの噴出領域が広がるのを抑制しつつ、効果的に薬液１０を混合させることができる。具体的には、ガス噴出部１２ｆから噴出した送気ガスＧは、吐出パイプ１２ｅから吐出した薬液１０を包み込むようにして、薬液１０の塗布方向を変化させることができる。
【００２７】
また、正面視において、２箇所のガス噴出部１２ｆの先端開口が、２本の吐出パイプ１２ｅの中心ｃ１、ｃ２のそれぞれを同心とする中心角２０°から５０°の円弧状に形成されている。このようにガス噴出部１２ｆが形成されていると、吐出パイプ１２ｅからの距離に応じてガス噴出部１２ｆの範囲が広くなることとなる。したがって、ガス噴出部１２ｆから噴出した送気ガスＧが、吐出パイプ１２ｅから吐出した薬液１０を漏れのないように好適に包み込んで、薬液１０の塗布方向を変化させることができる。
【００２８】
ガス噴出部１２ｆは、ガス噴出部１２ｆの先端開口を正面に見て、吐出パイプ１２ｅを中心とする周回方向の一部に非周回状に形成されている。ガス噴出部１２ｆがこのように形成されていることで、ガス噴出部１２ｆからは部分円筒状に送気ガスＧが噴出されることとなる。
また、ガス噴出部１２ｆがこのように形成されていることで、円環状に形成されていた従来のガス噴出部と異なり、吐出パイプ１２ｅ及びガス噴出部１２ｆを噴霧端片１２ｄに一体成形可能となる。このため、生体組織接着剤塗布用具１の製造効率が高まることとなる。
ガス噴出部１２ｆは、ガス噴出部１２ｆの先端開口を正面に見て、吐出パイプ１２ｅから離れた位置に形成されている。このようにガス噴出部１２ｆが形成されていることで、ガス噴出部１２ｆから遠位側に向けて斜め下方に噴出する送気ガスＧを、ガス噴出部１２ｆよりも遠位側に突出する吐出パイプ１２ｅから吐出する薬液１０に対して好適に噴射できる。
【００２９】
図５に示すように、ガス噴出部１２ｆの噴出方向とノズルＸ（厳密にはヘッド１２）の軸心方向との成す角度は、薬液吐出部（吐出パイプ１２ｅ）の薬液１０の吐出方向と軸心方向との成す角度よりも大きい。ここで角度の基準となる軸心方向とは、遠位側に向くベクトルをいうものである。なお、本実施形態に係る薬液１０の吐出方向は、ヘッド１２の軸心方向と平行な方向である。
そして、ガス噴出部１２ｆからの送気ガスＧの噴出方向と薬液吐出部（吐出パイプ１２ｅ）からの薬液１０の吐出方向とは、薬液１０が薬液吐出部（吐出パイプ１２ｅ）から吐出した先において斜めに交差している。ここでいう噴出方向は、送気ガスＧの流れそのものを意味するものであり、吐出方向は、薬液１０の流れそのものを意味するものである。そして、噴出方向と吐出方向が斜めに交差することは、送気ガスＧと薬液１０とが斜めに交わることを意味するものである。また、「吐出した先」とは、後述のように、吐出パイプ１２ｅの薬液吐出口１２ｇの極めて近傍の位置を含む概念である。薬液１０は、図５に示すように、送気ガスＧに斜めに交わった後に、送気ガスＧに沿って噴霧されることとなる。
【００３０】
このような噴出方向で送気ガスＧを噴出させるガス噴出部１２ｆによれば、薬液１０を霧状にしつつ、薬液１０の塗布方向を変化させて、患部に薬液１０を好適に塗布することができる。薬液流通路Ｙを形成する部位のうち少なくとも薬液吐出口１２ｇの近傍の部位（本実施形態に係る吐出パイプ１２ｅ）を直線的な構造とすることができ、薬液流通路Ｙの形成を容易にすることができる。ひいては、生体組織接着剤塗布用具１の製造効率を高めることができる。
なお、本実施形態に係る吐出パイプ１２ｅは、薬液流通管３、４と別体のものであるが、このような構成に本発明は限定されず、一体的に形成されたものであってもよい。また、薬液１０をノズルＸの軸心方向に交差する方向に噴霧できればよく、薬液１０の吐出方向である吐出パイプ１２ｅの延在方向は、ノズルＸの軸心方向に必ずしも平行でなくてもよい。
【００３１】
吐出パイプ１２ｅの先端面１２ｋは、図２に示すように楕円形状であり、ガス噴出部１２ｆからの送気ガスＧの噴出方向に沿って（噴出方向に平行に）形成されている。具体的には、本実施形態に係る先端面１２ｋは、ノズルＸの軸心方向に対して斜めに延在し、送気ガスＧの噴出方向に平行な直線を含んでノズルＸの幅方向に延在する面である。例えば、先端面１２ｋは、吐出パイプ１２ｅの元となる円筒状の部位の先端部を斜めにカット（切断加工）することにより形成されている。
このように送気ガスＧの噴出方向に沿って形成された先端面１２ｋを有する吐出パイプ１２ｅは、薬液１０が送気ガスＧに到達するまで、吐出パイプ１２ｅの内面に薬液１０を沿わせて直線的にガイドすることができる。
そして、薬液１０は、吐出パイプ１２ｅの薬液吐出口１２ｇの極めて近傍において送気ガスＧによって噴霧されることとなる。
したがって、吐出パイプ１２ｅによれば、例えば薬液１０の自重によって、薬液１０が薬液吐出口１２ｇに到達する前に噴射された送気ガスＧから離間する向きに流れ出ることを抑制することができる。このため、薬液１０は、送気ガスＧによって均一に噴霧されることとなる。
【００３２】
このように、吐出パイプ１２ｅの先端面１２ｋが、送気ガスＧの噴射方向に平行に形成されていると好適であるが、ガス噴出部１２ｆからの送気ガスＧの噴出方向に沿っていれば同様の効果を奏することができる。したがって、本発明に係る薬液吐出部の先端面は、送気ガスＧの噴出方向に対して若干傾くように形成されていてもよい。
具体的には、送気ガスＧの噴出方向を、ガス噴出部１２ｆの延在方向に平行な直線とし、図５に示すように、端片本体１２ｊに形成された貫通孔であるガス噴出部１２ｆの基端側上縁１２ｆａと先端側下縁１２ｆｂとを結ぶ仮想直線とする。この場合に、吐出パイプ１２ｅの先端面１２ｋが、Ｇの噴出方向の直線と仮想直線との成す角度Ｒの範囲内の傾きで形成されていると好ましい。
さらに、薬液１０の粘度により噴射された送気ガスＧから離間する方向に薬液１０が流れ落ちることがなく、送気ガスＧによって薬液１０を均一に噴霧できれば、薬液吐出部の先端面はノズルＸの軸心方向に垂直な先端面であってもよい。このような構成であれば、薬液吐出部の先端部を追加工せずに容易に形成することができる。
【００３３】
ガス噴出部１２ｆの中心側の端部は、ガス噴出部１２ｆの先端開口を正面に見て、線分ｓ１における両端よりも内側の部位に近づくように形成されている。ここで、線分ｓ１は、第１薬液流通路Ｙ１の薬液吐出口１２ｇの中心ｃ１と第２薬液流通路Ｙ２の薬液吐出口１２ｇの中心ｃ２とを結ぶものである。
このように、ガス噴出部１２ｆの一部が上記線分ｓ１における両端よりも内側の部位に近づくように形成されていることで、ガス噴出部１２ｆから送気ガスＧがエアカーテンのように噴出することとなる。このため、ガス噴出部１２ｆから噴出した送気ガスＧによって、第１薬液流通路Ｙ１及び第２薬液流通路Ｙ２のそれぞれの薬液吐出口１２ｇから吐出される薬液１０が、これらから吐出された後の早い段階で混合することを回避することができる。このため、混合したときに接着剤として機能する薬液１０を用いたときに、両薬液吐出口１２ｇから吐出する薬液１０が、薬液吐出口１２ｇの近傍で混合して凝固し、詰まりの要因となることを抑制することができる。
【００３４】
ガス噴出部１２ｆは、吐出パイプ１２ｅの先端開口を正面に見て、複数の（本実施形態においては２つの）第１薬液流通路Ｙ１及び第２薬液流通路Ｙ２の並び方向に交差する方向に送気ガスＧを噴射する。このように噴射された送気ガスＧは、第１薬液流通路Ｙ１及び第２薬液流通路Ｙ２におけるそれぞれの吐出パイプ１２ｅから吐出した薬液１０同士を霧状に噴霧混合する。
なお、本実施形態に係る生体組織接着剤塗布用具１は、２本の薬液流通管３、４と、これらのそれぞれに連続する吐出パイプ１２ｅとによって形成された２つの第１薬液流通路Ｙ１及び第２薬液流通路Ｙ２を備える。しかしながら、本発明に係る生体用薬液注入用具は、このような構成に限定されず、更に複数の薬液流通路Ｙを備えるものであってもよい。
【００３５】
庇部１２ｉは、吐出パイプ１２ｅの先端を覆うように設けられており、薬液１０の吐出方向を基準として、吐出パイプ１２ｅの先端よりも遠位側に突出して形成されている。特に、庇部１２ｉは、なだらかな尖形状に形成されている。具体的には、庇部１２ｉは、幅方向（本実施形態において薬液吐出口１２ｇが並ぶ方向に平行な方向）の中央部分が最も遠位側に突出しており、幅方向両側に向かうに連れて噴霧端片１２ｄからの突出量が小さくなるように形成されている。
このように形成された庇部１２ｉは、ガス噴出部１２ｆ及び薬液吐出口１２ｇを周囲環境から隔てる隔壁として機能することとなる。このため、庇部１２ｉは、ガス噴出部１２ｆから噴出される送気ガスＧの周囲環境からの影響を抑制でき、薬液１０の噴霧の整流性を保持することができる。また、庇部１２ｉによれば、薬液１０が吐出される吐出パイプ１２ｅが臓器等に接触することによって付着する体液等によって、ガス噴出部１２ｆや薬液吐出口１２ｇに詰まりが生じることを抑制できる。さらには、庇部１２ｉが尖形状に形成されていることで、不図示のトロカール内へのヘッド１２からのノズルＸの挿通が容易となる。
【００３６】
上記実施形態に係る生体組織接着剤塗布用具１においては、ノズルＸの軸心方向に対して斜めに薬液１０を噴霧することができるため、ノズルＸを回動させることによって、薬液１０の噴霧領域を変更することが可能である。なお、レギュレータ３０により、送気ガスＧの供給速度を調整することによって、送気ガスＧの噴射の向きに沿って噴霧される薬液１０の噴霧の角度を調整することもできる。
【００３７】
（第１変形例）
次に、第１変形例に係るヘッド４２について図６を主に参照して説明する。図６は、第１変形例に係るヘッド４２の正面図である。
【００３８】
第１変形例に係るヘッド４２に設けられた噴霧端片４２ｄの端片本体４２ｊにおいて２箇所に形成されたガス噴出部４２ｆは、図６に示すように、正面視コの字状に形成されている。２箇所のガス噴出部４２ｆは、２本の吐出パイプ１２ｅに開放側を向けるように形成されている。換言すると、ガス噴出部４２ｆの両端部は、吐出パイプ１２ｅの薬液吐出口１２ｇから吐出した薬液１０を包み込むよう下方に延在している。
本変形例に係るヘッド４２が有するコの字状のガス噴出部４２ｆであっても、上記実施形態に係るヘッド１２が有する円弧状のガス噴出部１２ｆと同様の効果を奏することができる。具体的には、ヘッド４２によっても、送気ガスＧの噴出領域が広がるのを抑制しつつ、効果的に薬液１０を混合できる。
【００３９】
また、ガス噴出部４２ｆの両端部が、下方に延在して、第１薬液流通路Ｙ１の薬液吐出口１２ｇの中心ｃ１と第２薬液流通路Ｙ２の薬液吐出口１２ｇの中心ｃ２とを結ぶ線分ｓ１における両端よりも内側の部位に近づくように形成されている。
このため、ガス噴出部４２ｆを有するヘッド４２は、上記実施形態に係るヘッド１２と同様の効果を奏し得る。
具体的には、第１薬液流通路Ｙ１及び第２薬液流通路Ｙ２のそれぞれの薬液吐出口１２ｇから吐出される薬液１０が、これらから吐出された後の早い段階で混合することをガス噴出部４２ｆの両端部（近接部）から噴出した送気ガスＧによって回避することができる。
【００４０】
（第２変形例）
次に、第２変形例に係るヘッド５２について図７を主に参照して説明する。図７は、第２変形例に係るヘッド５２の正面図である。
第２変形例に係るヘッド５２に設けられた噴霧端片５２ｄの端片本体５２ｊにおいて１箇所に形成されたガス噴出部５２ｆは、図７に示すように、正面視Ｔ字状に形成されている。換言すると、ガス噴出部５２ｆの中央部が、下方に延在して、第１薬液流通路Ｙ１の薬液吐出口１２ｇの中心ｃ１と第２薬液流通路Ｙ２の薬液吐出口１２ｇの中心ｃ２とを結ぶ線分ｓ１における両端よりも内側の部位に近づくように形成されている。
このため、ヘッド５２は、上記実施形態に係るヘッド１２、第１変形例に係るヘッド４２と同様の効果を奏し得る。具体的には、第１薬液流通路Ｙ１及び第２薬液流通路Ｙ２のそれぞれの薬液吐出口１２ｇから吐出される薬液１０が、これらから吐出された後の早い段階で混合することを、ガス噴出部５２ｆの中央部（近接部）から噴出した送気ガスＧによって回避することができる。
特に、ガス噴出部５２ｆが形成されているのが１箇所のみであるため、ヘッド５２の製造を容易にすることができる。
なお、正面視において、ガス噴出部５２ｆの両端部を、ガス噴出部５２ｆの中央部と同様に下方に延在していてもよい。このようにすれば、ガス噴出部１２ｆやガス噴出部４２ｆと同様に、送気ガスＧの噴出領域が広がるのを抑制しつつ、効果的に薬液１０を混合できることとなる。
【００４１】
（第３変形例）
第３変形例に係るヘッド６２について図８を主に参照して説明する。図８は、第３変形例に係るヘッド６２の正面図である。
上記実施形態に係る生体組織接着剤塗布用具１においては、混合して接着剤として機能する２種類の薬液１０を噴霧・混合させるため、プランジャ７、シリンジ１７、薬液流通管３、４、吐出パイプ１２ｅ等の対を成すものを備えるものであった。
第３変形例に係るヘッド６２を備える生体用薬液注入用具は、１種類の薬液を噴霧するものであり、上記の生体組織接着剤塗布用具１の対を成す部材を、それぞれ１つのみ備えるものである。
ヘッド６２における噴霧端片６２ｄが備える端片本体６２ｊには、円弧状のガス噴出部６２ｆが１箇所にのみ形成されている。ガス噴出部６２ｆは、正面視において１本の吐出パイプ１２ｅの外周に沿うように形成されている。
このように、本発明は生体組織接着剤塗布用具に係るものに限定されず、１本の吐出パイプ１２ｅによって薬液１０を噴霧するような生体用薬液注入具であってもよい。このような生体用薬液注入具でも、上記実施形態に係る生体組織接着剤塗布用具１と同様に、ガス噴出部６２ｆからの送気ガスＧの噴出をノズルＸの軸心方向に対して斜め方向とすることができる。より具体的には、吐出パイプ１２ｅをノズルＸの軸心方向に沿って形成したとしてもノズルＸの軸心方向に対して斜めに薬液１０を噴霧可能である。
【００４２】
上記実施形態は、以下の技術思想を包含するものである。
（１）内部に空間を有するノズルと、
該ノズルの内部の前記空間を通り、薬液が注入される薬液注入部と前記薬液が吐出される薬液吐出部とを有して前記薬液を流通させる薬液流通路と、を備え、
前記ノズルには、
前記空間内にガスを注入するためのガス注入部と、
前記薬液吐出部の近傍にあり、前記ガス注入部から前記空間内に充填された前記ガスを噴射し、前記薬液流通路の前記薬液吐出部から吐出される前記薬液を霧状に噴霧するガス噴出部と、が設けられており、
該ガス噴出部の噴出方向と前記ノズルの軸心方向との成す角度は、前記薬液吐出部の吐出方向と前記ノズルの軸心方向との成す角度よりも大きく、
前記ガス噴出部からの前記ガスの噴出方向と前記薬液吐出部からの前記薬液の吐出方向とは、前記薬液が前記薬液吐出部から吐出した先において斜めに交差していることを特徴とする生体用薬液注入用具。
（２）前記薬液流通路は複数設けられており、
前記ガス噴出部は、前記複数の薬液流通路におけるそれぞれの前記薬液吐出部から吐出した前記薬液同士を霧状に噴霧混合する前記ガスを、前記薬液吐出部の先端開口を正面に見て、前記複数の薬液流通路の並び方向に交差する方向に噴射する（１）に記載の生体用薬液注入用具。
（３）前記薬液吐出部は、前記薬液の吐出方向に沿って延在しており、
前記ガス噴出部は、前記薬液吐出部による前記薬液の吐出先に向かうように延在している（１）又は（２）に記載の生体用薬液注入用具。
（４）前記ガス噴出部は、前記ガス噴出部の先端開口を正面に見て、前記薬液吐出部から離れた位置に形成されている（１）から（３）のいずれか一項に記載の生体用薬液注入用具。
（５）前記薬液流通路は、第１薬液流通路と第２薬液流通路とを備え、
前記ガス噴出部の少なくとも一部は、前記ガス噴出部の先端開口を正面に見て、前記第１薬液流通路の前記薬液吐出部の中心と前記第２薬液流通路の前記薬液吐出部の中心とを結ぶ線分における両端よりも内側の部位に近づくように形成されている（１）から（４）のいずれか一項に記載の生体用薬液注入用具。
（６）前記ガス噴出部は、前記ガス噴出部の先端開口を正面に見て、前記薬液吐出部を中心とする周回方向の一部に非周回状に形成されており、
前記ノズルは、前記薬液注入部が設けられた第１部材と、前記薬液吐出部及び前記ガス噴出部が一体成形された第２部材と、を備える（１）から（５）のいずれか一項に記載の生体用薬液注入用具。
（７）前記ガス噴出部を挟んで、前記薬液吐出部が設けられている部位とは逆側の部位に設けられた庇部を更に備え、
該庇部は、前記薬液の吐出方向を基準として、前記薬液吐出部の先端よりも遠位側に突出して形成されている（１）から（６）のいずれか一項に記載の生体用薬液注入用具。
（８）前記ガス噴出部の先端開口は、円弧状に形成されており、前記薬液吐出部に沿うように形成されている（１）から（７）のいずれか一項に記載の生体用薬液注入用具。
（９）前記ガス噴出部の先端開口は、前記薬液吐出部の中心を同心とする中心角２０°から５０°の円弧状に形成されている（８）に記載の生体用薬液注入用具。
（１０）前記薬液吐出部の先端面は、前記ガス噴出部からの前記ガスの噴出方向に沿って形成されている（１）から（９）のいずれか一項に記載の生体用薬液注入用具。
【符号の説明】
【００４３】
１  生体組織接着剤塗布用具（生体用薬液注入用具）
２  ノズル本体（第１部材）
２ｄ  シリンジ装着口（薬液注入部、薬液流通路）
２ｇ  ガス注入部
２ｓ  空間
３  薬液流通管（第１薬液流通路、薬液流通路）
４  薬液流通管（第２薬液流通路、薬液流通路）
７  プランジャ
８  プランジャホルダ
９  エアフィルタ
９ａ  接続口
１０  薬液
１１  延長部
１１ｃ  ライン
１２  ヘッド
１２ｂ  ヘッド本体
１２ｃ  内面
１２ｄ  噴霧端片（第２部材）
１２ｅ  吐出パイプ（薬液吐出部、薬液流通路）
１２ｆ  ガス噴出部
１２ｆａ  基端側上縁
１２ｆｂ  先端側下縁
１２ｇ  薬液吐出口
１２ｈ  嵌合部
１２ｉ  庇部
１２ｊ  端片本体
１２ｋ  先端面
１７  シリンジ
３０  レギュレータ
３１  送気チューブ
３１ａ、３１ｂ  コネクタ
４２  ヘッド
４２ｄ  噴霧端片（第２部材）
４２ｆ  ガス噴出部
４２ｊ  端片本体
５２  ヘッド
５２ｄ  噴霧端片（第２部材）
５２ｆ  ガス噴出部
５２ｊ  端片本体
６２  ヘッド
６２ｄ  噴霧端片（第２部材）
６２ｆ  ガス噴出部
６２ｊ  端片本体
ｃ１、ｃ２  中心
ｓ１  線分
Ｇ  送気ガス
Ｘ  ノズル
Ｙ  薬液流通路
Ｙ１  第１薬液流通路
Ｙ２  第２薬液流通路
【図１】
2018201727.tif 000003
【図２】
2018201727.tif 000004
【図３】
2018201727.tif 000005
【図４】
2018201727.tif 000006
【図５】
2018201727.tif 000007
【図６】
2018201727.tif 000008
【図７】
2018201727.tif 000009
【図８】
2018201727.tif 000010